【手続補正書】
【提出日】平成16年9月6日(2004.9.6)
【手続補正１】
【補正対象書類名】明細書
【補正対象項目名】全文
【補正方法】変更
【補正の内容】
【書類名】  明細書
【発明の名称】  電気掃除機用吸込具及びそれを用いた電気掃除機
【特許請求の範囲】
【請求項１】  吸込具本体と、この吸込具本体に着脱自在に装着される小型ノズルとを備え、前記小型ノズルはノズル部と連結部と接続部とからなっていて、ノズル部と連結部、連結部と接続部はそのいずれか一方が上下動自在で他方が回動自在なるように連結し、かつノズル部は吸込具本体に対して回動不可の固定状態に装着する構成とすると共に当該吸込具本体への装着時には同吸込具本体内と連通する構成とした電気掃除機用吸込具。
【請求項２】  小型ノズルは先端部と下面部の少なくともいずれか一方に吸込具本体内と連通する吸込口を有する請求項１記載の電気掃除機用吸込具。
【請求項３】  小型ノズルは先端部と下面部にそれぞれ吸込口を設けてその少なくともいずれか一方が吸込具本体内と連通する吸込口を有し、吸込具本体からの離脱時には先端部の吸込口を閉じる構成とした請求項１または２記載の電気掃除機用吸込具。
【請求項４】  小型ノズルの下面は略円弧状とし、この略略円弧状面の側面部分に吸込口を設けた請求項１〜３のいずれか１項記載の電気掃除機用吸込具。
【請求項５】  略略円弧状面の側面部分に設けた吸込口の両側に起毛布等からなる部材を設けた請求項４記載の電気掃除機用吸込具。
【請求項６】  請求項１〜５のいずれか１項記載の電気掃除機用吸込具を用いた電気掃除機。
【発明の詳細な説明】
【０００１】
【発明の属する技術分野】
本発明は、床ノズルに小型ノズルが装備され、床ノズルによって掃除しにくい狭い場所に対応する小型ノズルを床ノズルから離脱させて使用可能とした電気掃除機用吸込具及びそれを用いた電気掃除機に関する。
【０００２】
【従来の技術】
従来この種の吸込具及び電気掃除機は、特開２００１−３１４３５８号公報示されているように掃除機本体からの延長管の先端に上下動自在な連結部を介してブラシノズルを取りつけ、このブラシノズルを吸込具本体の上面に設けた連結口に回動かつ着脱自在に接続した構成となっている。そして吸込具本体では掃除しにくい狭い場所を掃除する際には吸込具本体からブラシノズルを離脱させ、このブラシノズルで掃除を行うようになっていた。また広い場所を掃除するときにはブラシノズルを吸込具本体に装着して掃除を行うようになっており、この場合吸込具本体はブラシノズルが吸込具本体に対して回動自在であって、延長管に対して上下動自在としてあるため、吸込具本体を従来と同様上下、左右に回動させて掃除をすることができる。
【０００３】
【発明が解決しようとする課題】
しかしながら上記電気掃除機の吸込具はそのブラシノズルが吸込具本体に対して回動自在に取りつけてあるため気密性と操作性の両方を満足させることが困難であるという課題があった。すなわち、ブラシノズルの装着部分の気密性を上げようとすれば吸込具本体とブラシノズルとの間の回動性が悪くなって吸込具本体の操作性が悪化し、逆に回動性を良くしようとすれば気密性が十分確保できず、特に長時間使用するほど気密性が低下するなど、操作性と気密性を同時に満足させるのは困難であった。
【０００４】
本発明はこのような従来の課題を解決したもので、操作性と気密性の両方を満足できるものとすることを目的としたものである。
【０００５】
【課題を解決するための手段】
本発明は上記従来の課題を解決するためその吸込具は、吸込具本体と、この吸込具本体に着脱自在に装着される小型ノズルとを備え、前記小型ノズルはノズル部と連結部と接続部とからなっていて、ノズル部と連結部、連結部と接続部はそのいずれか一方が上下動自在で他方が回動自在なるように連結し、かつノズル部は吸込具本体に対して回動不可の固定状態に装着する構成とすると共に当該吸込具本体への装着時には同吸込具本体内と連通する構成としてある。
【０００６】
上記構成により本発明では小型ノズルの吸込具本体に対する装着部分は回動不可の固定状態としているので気密性良く装着することができるとともに長期間の使用によってもその気密性を良好に維持することができ、かつ小型ノズルを装着した状態での吸込具本体の上下左右方向の回動は良好に行える。
【０００７】
【発明の実施の形態】
本発明は各請求項に記載の構成によって実施することができる。
【０００８】
すなわち、請求項１記載の電気掃除機用吸込具は、吸込具本体と、この吸込具本体に着脱自在に装着される小型ノズルとを備え、前記小型ノズルはノズル部と連結部と接続部とからなっていて、ノズル部と連結部、連結部と接続部はそのいずれか一方が上下動自在で他方が回動自在なるように連結し、かつノズル部は吸込具本体に対して回動不可の固定状態に装着する構成とすると共に当該吸込具本体への装着時には同吸込具本体内と連通する構成としてあり、小型ノズルの吸込具本体に対する装着部分は回動不可の固定状態としているので気密性良く装着することができるとともに長期間の使用によってもその気密性を良好に維持することができ、かつ小型ノズルを装着した状態での吸込具本体の上下左右方向の回動は良好に行える。特に上下左右の回動部のいずれをも小型ノズルに対して行うようにしたので、当該小型ノズルを吸込具本体に装着して使用する際の吸込具本体の左右方向への操作性が向上する。
【０００９】
また請求項請求項３記載の電気掃除機用吸込具は、小型ノズルは先端部と下面部の少なくともいずれか一方に吸込具本体内と連通する吸込口を有する構成としてあるので、小型ノズルを吸込具本体に接続するだけで吸込具本体に吸引力を働かせて掃除をすることができる。
【００１０】
また請求項４記載の電気掃除機用吸込具は、小型ノズルの先端部と下面部にそれぞれ吸込口を設けてその少なくともいずれか一方が吸込具本体内と連通する構成とするとともに、吸込具本体からの離脱時には先端部の吸込口を閉じる構成としてあり、小型ノズルを吸込具本体に接続するだけで吸込具本体に吸引力を働かせて掃除をすることができるとともに、小型ノズルを離脱させたときには先端部の吸込口が閉じられるのでその下面部の吸込口を使用して効果的に掃除をすることができる。
【００１１】
更に請求項５記載の電気掃除機用吸込具は、小型ノズルの下面は略円弧状とし、この略略円弧状面の側面部分に吸込口を設けた構成としてあり、階段の隅部等を掃除する際に側面部分が階段の直行する各面に接するので掃除が効果的に行える効果がある。
【００１２】
また請求項６記載の電気掃除機用吸込具は、略略円弧状面の側面部分に設けた吸込口の両側に起毛布等からなる部材を設けたので階段等を掃除する際に接する各直行する面との気密性が向上し、効率良く掃除することができる。
【００１３】
更に請求項７記載の電気掃除機は、上記請求項１〜６に記載したいずれかの効果が得られる電気掃除機を提供することができる。
【００１４】
【実施例】
以下本発明の実施例を図１〜図９を用いて説明する。
【００１５】
図において、１は吸込具本体で、前方に設けた吸込室２の下部に本体吸込口３を設け、ベルト４ａを介し電動機４によって駆動される回転ブラシ５が設けてある。この吸込具本体１はその後部上面の略中央部分に前後方向に長い半割円状の凹部６が設けてあり、その凹部６の前部は前記吸込室２につながっている。７は前記吸込具本体１の凹部６に上面より着脱自在に装着した小型ノズルで、前後方向に長い短冊或いは楕円等の非円形状に形成することにより、前記凹部６に対し回動不可の固定状態となるようにしてあり、凹部６には気密状態で装着されるようになっている。
【００１６】
この小型ノズル７はその前端と下面に吸込口８、９が形成してあり、吸込具本体１への装着時には前端の吸込口８が前記吸込室２に連通し、下面の吸込口９は後述する閉塞体によっての閉塞状態となるように構成してある。そして前端の吸込口８には吸込口本体１への装着時に開き、離脱時に閉じる開閉板８ａが設けてある。１０は下面の吸込口９の両側に装着した起毛布等からなる部材である。この小型ノズル７はその下面を円弧状に形成して、その両側部分と下面に前記吸込口９を設け、その各吸込口９の両側には起毛布等からなる部材１０を装着する構成とすることもできる。更にこの小型ノズル７にはその後部に回動自在に連結部１１を接続し、この連結部１１に上下動自在に接続部１２を接続して構成してあり、この接続部１２を介して電気掃除機本体からの延長管（いずれも図示せず）に接続して使用する際に左右上下に回動自在となっている。そしてこの小型ノズル７は吸込具本体１から離脱させたときには連結部１１との間の回動をロックする構成としてある。すなわち図８（Ａ）（Ｂ）に示すように小型ノズル７には連結部１１の回動用リブ１３ａの回動軌上に出没自在なロック体１３を設け、吸込具本体１に装着したときにはこのロック体１３が後述するノズル保持体によって回動軌跡から外れ、離脱させるとこの回動軌跡上に突出するように構成してある。
【００１７】
一方、前記吸込具本体１にはその凹部６の適所に上記小型ノズル７を保持或いは離脱させる脱着手段１５が設けてある。すなわち、１６はノズル保持手段で、凹部６に装着した小型ノズル７のノズル部７ａを抱き込むことによって小型ノズル７を凹部６に保持するものであり、バネ材を略半割リング状に形成してその両端部分が外方に広がる附勢力を持つように構成してる。１７はこのノズル保持手段１６を上下動自在に支持する支持体、１８その途中を回転自在に支持した脱着レバーで、一端は前記支持体１７に連結し、他端は吸込口本体１外に突出させて操作部１９としてあり、操作部１９を足ふみ等することによりノズル保持手段１６を凹部６から上昇させ、その上昇によってノズル保持手段１６の両端が広がって小型ノズル７の保持を解除するようになっている。なお図中２０は前記小型ノズル７の下面に設けた吸込口９を小型ノズル装着字に閉塞する閉塞部である。
【００１８】
上記構成において、小型ノズル７を吸込口本体１に装着した状態で使用すると、掃除機本体１からの吸引力は接続部１２、連結部１１、ノズル部７ａの吸込口８を介して吸込口本体１の本体吸込口３に作用し、掃除ができる。この際、小型ノズル７は連結部１１と接続部１２によって左右上下いずれの方向にも回動させることができるので、吸込具本体１は図９（Ａ）〜（Ｃ）に示すように左右上下いずれの方向にも回動させることが可能である。このときこの小型ノズル７はノズル部７ａと連結部１１との連結部分側を左右方向へ回動自在としてあるので、図９（Ａ）で示すように吸込具本体１の吸込口全面を掃除面に沿わせたまま延長管２１の軸先と同一方向にすることができ、狭いところでも効率よく掃除することができる。そしてこの小型ノズル７は上記したように小型ノズル７自体のノズル部７ａと連結部１１と接続部１２との連結部分で上下左右方向に回動自在としてあるので、吸込口本体１への装着部分は回動不可の固定状態とすることができ、よって吸込口本体１との接続部分の気密性を高いものとすることができる。そしてこのように気密性の高い接続状態としても前記したように上下左右の回動は小型ノズル７のノズル部７ａと連結部１１、接続部１２との間で行われるので、良好な操作性が確保できる。
【００１９】
一方、脱着レバー１８の操作部１９を例えば足ふみ等することによって、ノズル保持手段１６が上昇して小型ノズル７を凹部６から持ち上げた状態でその両端が開き、小型ノズル７の保持を解除する。よって使用者はこの状態で延長管を持ってそのまま引き上げれば小型ノズル７を吸込口本体１から外すことができ、そのまま小型ノズル７による掃除が可能となる。このとき小型ノズル７の前部吸込口８はバネ８ｂにより閉じる方向に附勢した開閉板８ａによって閉じられ、下面に設けた吸込口９により掃除をすることになる。その際この吸込口９の両側には起毛布等からなる部材が設けてあるので被掃除面との間の気密性が良好に保たれ、効率の良い掃除が可能となる。特に小型ノズル７の下面を略円弧状に形成してその両側に吸込口９を設けた場合には階段等の直行する各面に部材１０が接するので良好な掃除性能が確保できる。
【００２０】
再度小型ノズル７を吸込口本体１に取りつけて使用する場合は、小型ノズル７の下面をノズル保持手段１６にはめ込んでそのまま凹部６に嵌合させればよく、これによりノズル保持手段１６は凹部６内にはまり込んで小型ノズル７を吸込口本体１に保持する。そして先に述べたように吸込口本体１と一体化した状態で掃除に供することができる。
【００２１】
またこの小型ノズル７は吸込口本体１から外したときにはロック板１３が連結部１１の回動用リブ１３ａの回動軌上に突出して回動をロックするので、連結部１１と接続部１２との間の上下動のみ可能となり、掃除中にノズル部７ａの奏地面、すなわち下面が左右に回転して掃除がしにくくなることがなく、掃除のしやすいものとすることができる。
【００２２】
なお、上記実施例は本発明を実施する上で適切なものとして例示したものであって、各部の具体的な構成はこれに限定されるものではなく、所期の目的作達するものであればどの様に変更しても良いものである。
【００２３】
【発明の効果】
以上説明したように本発明は、吸込具本体と、この吸込具本体に着脱自在に装着される小型ノズルとを備え、前記小型ノズルはノズル部と連結部と接続部とからなっていて、ノズル部と連結部、連結部と接続部はそのいずれか一方が上下動自在で他方が回動自在なるように連結し、かつノズル部は吸込具本体に対して回動不可の固定状態に装着する構成とすると共に当該吸込具本体への装着時には同吸込具本体内と連通する構成としてあり、小型ノズルの吸込具本体に対する装着部分は回動不可の固定状態としているので、気密性良く装着することができるとともに長期間の使用によってもその気密性を良好に維持することができ、かつ小型ノズルを装着した状態での吸込具本体の上下左右方向の回動は良好に行え、気密性と操作性向上の両立が図れる。
【図面の簡単な説明】
【図１】
本発明の一実施例における電気掃除機用吸込具の平面図
【図２】
同側面図
【図３】
同下面図
【図４】
同分解斜視図
【図５】
同側面から見た断面図
【図６】
同図２のＸ−Ｘ矢視断面図
【図７】
同図２の小型ノズル離脱時のＸ−Ｘ矢視断面図
【図８】
（Ａ）（Ｂ）は小型ノズルの開動をロックする構成部分を示す側面図
【図９】
（Ａ）〜（Ｃ）は掃除状態を示す説明図
【符号の説明】
１  吸込口本体
７  小型ノズル
７ａ  ノズル部
１１  連結部
１２  接続部